(57)【特許請求の範囲】
【請求項１】
ページ記述言語で記述されたページデータを印刷データに変換し、該印刷データに基づいて用紙に印刷する印刷装置であって、
特定の変倍率でページデータをラスタライズ処理して印刷データを出力するＲＩＰ部と、
前記印刷データに基づく印刷像を着色剤で用紙に形成する印刷像形成部と、
前記形成した印刷像を用紙に定着するため加熱を行う加熱定着部と、
前記加熱定着部による用紙の加熱定着回数と用紙の収縮率との対応関係を特定する情報を、用紙への最初の印刷像の形成に先立って予め格納しておく格納手段と、
を有する印刷装置において、
前記ＲＩＰ部は、後で処理される加熱定着回数ごとにページデータを分類してグループ化し、グループ化されたページデータをまとめて特定の変倍率でラスタライズ処理して印刷データを出力すること、及び、
用紙に形成される複数の印刷像の全てについて、適用される前記特定の変倍率は、前記情報を参照して特定された、印刷像が形成された後に処理される加熱定着回数に対応する用紙の伸縮率の逆数であること、を特徴とする印刷装置。
【請求項２】
複数の印刷データに基づく印刷像を同一用紙に順次形成し加熱定着を繰り返して印刷する場合、各印刷像を形成するときに適用される特定の変倍率は、当該印刷像が形成された後に処理される加熱定着回数に対応する用紙の伸縮率の逆数であること、を特徴とする請求項１に記載の印刷装置。
【請求項３】
ページ記述言語で記述されたページデータを印刷データに変換し、該印刷データに基づいて用紙に印刷する印刷装置であって、
特定の変倍率でページデータをラスタライズ処理して印刷データを出力するＲＩＰ部と、
前記印刷データに基づく印刷像を着色剤で用紙に形成する印刷像形成部と、
前記形成した印刷像を用紙に定着するため加熱を行う加熱定着部と、
を有する印刷装置において、
前記ＲＩＰ部は、後で処理される加熱定着回数ごとにページデータを分類してグループ化し、グループ化されたページデータをまとめて特定の変倍率でラスタライズ処理して印刷データを出力すること、及び、
複数の印刷データに基づく印刷像を同一用紙に順次形成し加熱定着を繰り返して印刷する場合、各印刷像を形成するときに適用される特定の変倍率と、当該印刷像が形成された後に処理される加熱定着回数に対応する用紙の伸縮率の逆数の比が、各印刷像を形成する全ての段階において実質的に一致するように、各印刷像に適用される特定の変倍率が決定されること、を特徴とする印刷装置。
【請求項４】
ページ記述言語で記述されたページデータを印刷データに変換し、該印刷データに基づいて用紙に印刷する印刷装置における印刷方法であって、
特定の変倍率でページデータを順次ラスタライズ処理して印刷データを出力するＲＩＰ工程と、
前記印刷データに基づく印刷像を着色剤で用紙に形成する印刷像形成工程と、
前記形成した印刷像を用紙に定着するため加熱を行う加熱定着工程と、
前記加熱定着工程による用紙の加熱定着回数と用紙の伸縮率との対応関係を特定する情報を、用紙への最初の印刷像の形成に先立って予め格納しておく格納工程と、
を有する印刷方法において、
前記ＲＩＰ工程は、後で処理される加熱定着回数ごとにページデータを分類してグループ化し、グループ化されたページデータをまとめて特定の変倍率でラスタライズ処理して印刷データを出力すること、及び、
用紙に形成される複数の印刷像の全てについて、適用される前記特定の変倍率が、前記情報を参照して特定された、印刷像が形成された後に処理される加熱定着回数に対応する用紙の伸縮率の逆数であること、を特徴とする印刷方法。
【発明の詳細な説明】
【０００１】
【産業上の利用分野】
ページ記述言語で記述されたページデータを印刷データに変換して用紙に印刷を行うデジタル印刷装置、および印刷方法に関する。
【０００２】
【従来の技術】
近来、ページ記述言語で記述されたページデータを印刷データに変換し、直接用紙に印刷することができるデジタル印刷装置が存在する。さらに最近では、用紙の両面に印刷可能なデジタル印刷装置や用紙に対して多色印刷が可能なデジタル印刷装置が盛んに開発されている。
【０００３】
このようなデジタル印刷装置ではさまざまな印刷方式が使用されているが、生産性を向上するために高速に印刷処理を実行することができる電子写真方式が多く使用されている。
【０００４】
図１２を示して一般的な電子写真方式を説明する。印刷部１４０は電子写真方式による印刷を行う主要プロセス部分の構成である。感光体１４０１は表面に光導電性を有する物質がコーティングされたドラムで回転可能なように筐体に支持されている。まず、帯電器１４０２により感光体１４０１を正または負の電荷で均一に帯電させる。感光体１４０１は回転しておりその表面に露光器１４０３が光線を照射する。露光器１４０３は印刷データに基づいて印刷像を形成するように光線を選択的に照射する。
【０００５】
これにより均一に帯電されていた感光体１４０１は部分的に放電され、その結果潜像が形成される。続いて現像器１４０４が感光体１４０１に印刷像を形成するためのトナー１４０５を付着させる。現像器１４０４においてトナー１４０５は感光体１４０１と同極性の電荷で帯電させられているので、感光体１４０１の放電された部分にのみトナー１４０５が付着する。感光体１４０１は回転を続け転写部１４０６において用紙１４００にトナー１４０５によって形成された印刷像を転写する。感光体１４０１は回転を続け、クリーニング部１４０７において残余のトナーが清掃される。このようなプロセスが繰り返されることにより、印刷像の形成および転写が連続して行われる。
【０００６】
一方、印刷像が転写された用紙１４００は、そのままでは印刷像を形成するトナー１４０５が散乱してしまう。そのため用紙１４００を定着部１４１０に搬送し、加熱により用紙にトナーを溶着させる。これにより電子写真方式の印刷が完了する。
【０００７】
【発明が解決しようとする課題】
前述の電子写真方式によって印刷を行う場合、加熱によって印刷像を形成するトナーを用紙に定着させる過程で用紙が熱によって膨張／収縮してしまい、印刷像が予想外のサイズになってしまう問題がある。特に用紙の両面に印刷を行う両面印刷や、用紙に対して重ね刷りをして多色印刷を行うデジタル印刷装置では、用紙の膨張／伸縮により表面と裏面の印刷像のサイズが揃わない、あるいは重ね刷りする色がズレてしまうなど、印刷物の品質低下に対する問題が発生する。
【０００８】
本発明は、このような従来技術の問題を解決するための印刷装置、印刷方法、印刷装置のコントローラを提供することを目的としている。
【０００９】
【課題を解決するための手段及びその作用・効果】
このような課題を解決する為に、請求項１に係る発明は、ページ記述言語で記述されたページデータを印刷データに変換し、該印刷データに基づいて用紙に印刷する印刷装置であって、特定の変倍率でページデータをラスタライズ処理して印刷データを出力するＲＩＰ部と、前記印刷データに基づく印刷像を着色剤で用紙に形成する印刷像形成部と、前記形成した印刷像を用紙に定着するため加熱を行う加熱定着部と、前記加熱定着部による用紙の加熱定着回数と用紙の収縮率との対応関係を特定する情報を、用紙への最初の印刷像の形成に先立って予め格納しておく格納手段と、を有する印刷装置において、前記ＲＩＰ部は、後で処理される加熱定着回数ごとにページデータを分類してグループ化し、グループ化されたページデータをまとめて特定の変倍率でラスタライズ処理して印刷データを出力すること、及び、用紙に形成される複数の印刷像の全てについて、適用される前記特定の変倍率は、前記情報を参照して特定された、印刷像が形成された後に処理される加熱定着回数に対応する用紙の伸縮率の逆数であること、を特徴としている。
【００１０】
請求項１に開示した発明では、印刷像形成後行われる加熱定着による用紙の伸縮率の逆数をページデータに対する特定の変倍率として、ページデータをラスタライズ処理して印刷データを出力し、該印刷データに基づいて印刷像を着色剤で用紙に形成するので、加熱定着により用紙が伸縮したとしても用紙の伸縮率を考慮して変倍が行われている印刷像が用紙に定着されるため、当初所望したサイズの印刷像を得ることができるという効果を奏する。
【００１１】
また請求項２に係る発明は、請求項１の印刷装置において、複数の印刷データに基づく印刷像を同一用紙に順次形成し加熱定着を繰り返して印刷する場合、各印刷像を形成するときに適用される特定の変倍率は、当該印刷像が形成された後に処理される加熱定着回数に対応する用紙の伸縮率の逆数であること、を特徴としている。
【００１２】
請求項２に開示した発明では、複数の印刷像を同一の用紙に順次印刷する際に用紙に対する加熱定着が複数回行われることに着目し、各印刷像を形成するときに適用される特定の変倍率を、印刷像が形成された後行われる加熱処理の回数に対応する用紙の伸縮率の逆数と一致させることにより、複数回の加熱定着により用紙が伸縮したとしても当初所望したサイズ通りの印刷像を得ることができるという効果を奏する。
【００１３】
更に請求項３に係る発明は、ページ記述言語で記述されたページデータを印刷データに変換し、該印刷データに基づいて用紙に印刷する印刷装置であって、特定の変倍率でページデータをラスタライズ処理して印刷データを出力するＲＩＰ部と、前記印刷データに基づく印刷像を着色剤で用紙に形成する印刷像形成部と、前記形成した印刷像を用紙に定着するため加熱を行う加熱定着部と、を有する印刷装置において、前記ＲＩＰ部は、後で処理される加熱定着回数ごとにページデータを分類してグループ化し、グループ化されたページデータをまとめて特定の変倍率でラスタライズ処理して印刷データを出力すること、及び、複数の印刷データに基づく印刷像を同一用紙に順次形成し加熱定着を繰り返して印刷する場合、各印刷像を形成するときに適用される特定の変倍率と、当該印刷像が形成された後に処理される加熱定着回数に対応する用紙の伸縮率の逆数の比が、各印刷像を形成する全ての段階において実質的に一致するように、各印刷像に適用される特定の変倍率が決定されること、を特徴としている。
【００１４】
請求項３で開示した発明では、ページデータをラスタライズ処理して印刷データとして出力する際に適用される特定の変倍率について、同一用紙に印刷像を順次形成する際の各印刷データに適用される特定の変倍率と加熱定着回数に対応する用紙の伸縮率の逆数の比が、各印刷像を形成する全ての段階において実質的に一致するようにすることにより、複数の印刷像のサイズの相対的な関係が用紙の伸縮の影響を受けずに済む、という効果を奏する。
【００１６】
請求項１、請求項３又は請求項４で開示した発明では、加熱定着回数ごとにページデータを分類してグループ化した後、そのグループごとに特定の変倍率でラスタライズ処理を行うことにより効率よく特定の変倍率が適用された印刷データを得ることができる、という効果を奏する。
【００１７】
また請求項４に係る発明は、ページ記述言語で記述されたページデータを印刷データに変換し、該印刷データに基づいて用紙に印刷する印刷装置における印刷方法であって、特定の変倍率でページデータを順次ラスタライズ処理して印刷データを出力するＲＩＰ工程と、前記印刷データに基づく印刷像を着色剤で用紙に形成する印刷像形成工程と、前記形成した印刷像を用紙に定着するため加熱を行う加熱定着工程と、前記加熱定着工程による用紙の加熱定着回数と用紙の収縮率との対応関係を特定する情報を、用紙への最初の印刷像の形成に先立って予め格納しておく格納工程と、を有する印刷方法において、前記ＲＩＰ工程は、後で処理される加熱定着回数ごとにページデータを分類してグループ化し、グループ化されたページデータをまとめて特定の変倍率でラスタライズ処理して印刷データを出力すること、及び、用紙に形成される複数の印刷像の全てについて、適用される前記特定の変倍率が、前記情報を参照して特定された、印刷像が形成された後に処理される加熱定着回数に対応する用紙の伸縮率の逆数であること、を特徴としている。
【００１８】
請求項４で開示した発明は、請求項１に記載した発明と同様の効果を奏する方法である。
【００１９】
【発明の実施の形態】
第一の実施の形態を以下説明する。図1は、本発明を実施した場合の印刷システムの一例を示した図である。図１において、印刷システム１００はコントローラ１、印刷機２、ネットワーク３、フロントエンド４から構成されており、フロントエンド４がネットワーク３を介してコントローラ１に接続されている。コントローラ１は通信線ＣＬで印刷機２と接続されている。
【００２０】
フロントエンド４は一般的なパーソナルコンピュータであり、ディスプレイ等の表示部やキーボード等の入力部、ハードディスク等の記憶部を有している。フロントエンド４は、記憶部に記憶されているＤＴＰアプリケーションなどのソフトウェアを実行することにより、ページデータＰＤを作成する。そして、作成されたページデータＰＤを複数含むドキュメントデータＤＤとしてネットワーク３を介してコントローラ１に送信する。なお、ドキュメントデータＤＤ、ページデータＰＤはページ記述言語で表現されたデータである。
【００２１】
コントローラ１は受信したドキュメントデータＤＤに含まれるページデータＰＤに対してラスタライズ処理を行い印刷データＰＲＤを作成する。コントローラ１によって作成された印刷データＰＲＤは通信線ＣＬを介して印刷機２に送信される。
【００２２】
印刷機２は受信した印刷データＰＲＤに基づいて印刷像形成、加熱定着を行い、印刷を実行する。なお、印刷機２は、同一の用紙に対して印刷像形成と加熱定着を複数回繰り返すことにより、両面印刷や多色刷りを行うことができる。
【００２３】
図２はコントローラ１を詳細に説明するための図である。コントローラ１もまたフロントエンド４と同様に、一般のパーソナルコンピュータで構成されている。具体的にはコントローラ１は、ＣＰＵ１１、表示部１２、入力部１３、ネットワークＩ／Ｆ１４、メディアドライブ１５、記憶部１６、ＲＡＭ１７を備えており、さらに通信線ＣＬを介して印刷機２に接続されている。
【００２４】
ＣＰＵ１１は、コントローラ１全体の制御を行う。表示部１２は、オペレータに対してコントローラ１の状態の表示、あるいは入力指示を行う際必要な表示を行う。入力部１３は、コントローラ１を制御するための各種情報を入力するためのものであり、キーボードやマウスなどで構成されている。ネットワークＩ／Ｆ１４は、ネットワーク３を介してフロントエンド４からのドキュメントデータＤＤを受信する際に使用される。また、ネットワーク３上に接続されたサーバー（図示しない）からＣＰＵ１１が実行するためのプログラムや、各種画像データをダウンロードする際にも使用される。メディアドライブ１５は、フロントエンド４で作成されたページデータＰＤをオフラインで受け取る際に使用される。記憶部１６は、ネットワークＩ／Ｆ１４やメディアドライブ１５を介して受信したページデータＰＤやラスタライズ処理によって作成された印刷データＰＲＤを保存することができる。ＣＰＵ１１が実行するためのプログラムを記憶するのも記憶部１６の役割である。また、通信線ＣＬは印刷機２に対して印刷データＰＲＤを送信するために使用される。
【００２５】
ＲＡＭ１７は本発明を実施するためＣＰＵ１１が記憶部１６に記憶されているプログラムを実行するためのワークエリアであり、ＣＰＵが実行するプログラムによってＲＩＰ部１７１、ページデータ分類部１７２、伸縮率テーブル１７３の機能が実現される。
【００２６】
ＲＩＰ部１７１は、フロントエンド４で作成されたページ記述言語で記述された各ページ毎のページデータＰＤを逐次解釈してラスタライズ処理を行って各ページ毎の印刷データＰＲＤを出力するものである。またページデータＰＤとは別に変倍に関するページ設定（変倍率）が行われれば、ＲＩＰ部１７１はその設定に従ってページデータＰＤを変倍処理する。
【００２７】
ページデータ分類部１７２は、各ページデータＰＤの印刷像が形成された後にその印刷像が加熱定着処理を受ける回数毎に、各ページデータＰＤを分類する。これは、同じ回数の加熱定着を受ける印刷像は同じ変倍率で変倍処理されるので、その変倍処理を一括して行うためである。また、ページデータ分類部１７２は、加熱定着回数毎に分類された各ページデータ群ＰＤＧに対して変倍に関するページ設定を付加する。
【００２８】
伸縮率テーブル１７３は加熱定着による用紙の伸縮率を格納する。この伸縮率テーブル１７３をＣＰＵ１１が参照し、ページデータ分類部１７３において変倍に関するページ設定が各ページデータ群ＰＤＧに付加される。ＲＩＰ部１７１において、変倍率に基づいて各ページデータ群ＰＤＧに含まれるページデータＰＤに対してラスタライズ処理が実行され、加熱定着により用紙の伸縮を補償するために変倍された印刷データＰＲＤを出力する。なお、伸縮率テーブル１７３を記憶部１６に設けるようにしてもよい。
【００２９】
図３はコントローラ１に通信線ＣＬで接続された印刷機２の概略構成図である。印刷機２は、コントローラ１から各ページデータＰＤ毎の印刷データＰＲＤを受け取り、各ページデータの印刷像形成を順次行う。この印刷機２は、電子写真方式を採用した印刷機で、表面用と裏面用の２つの電子写真のプロセス部２１および２２を備える。プロセス部２１は、回転可能な感光体５１を備え、その周囲に、帯電器５２、露光ヘッド５３、現像器５４、転写部５５、除電器５６およびクリーナー５７が配置されている。露光ヘッド５３は、ＬＥＤアレイとレンズアレイから構成され、印刷データＰＲＤに基づいて選択的に各ＬＥＤの光源がＯＮ・ＯＦＦ制御される。これにより、感光体５１に各ページの画像に対応する静電潜像が形成される。続いて現像器５４において、静電潜像を着色剤としてのトナーで現像して感光体５１上にトナー像（印刷像）を形成し、転写部５５で給紙部６１から搬送された用紙Ｐに転写する。トナー像が転写された用紙Ｐは、定着器６２で加熱され、それによってトナー像が用紙Ｐに加熱定着される。
【００３０】
片面印刷の場合は、用紙Ｐは、このまま排紙トレー６４に排出される。両面印刷の場合は、さらに、用紙Ｐの裏面に、プロセス部２１と同じ構成のプロセス部２２でトナー像を形成し、用紙Ｐは再度定着器６３で加熱定着され、排紙トレイ６４に排出される。
【００３１】
このような印刷工程を経る場合、用紙は定着部６２、６３、を通過するので、２回の加熱が行われ、それにより用紙が伸縮する。そこで、用紙の伸縮率を加熱定着回数毎に予め設定しておくことにより、各ページデータＰＤに適用される変倍率を求めることができる。
【００３２】
図４はコントローラ１のＲＡＭ１７に格納された伸縮率テーブル１７３の内容を示すための図である。用紙の伸縮率というのは、式（印刷後の用紙サイズ／印刷前の用紙サイズ）で求められる数値である。印刷時に加熱定着を行った後の用紙サイズと印刷前の用紙サイズとを比較することにより、用紙の伸縮率を求めることができる。図４（ａ）は、例えばある材質・特性の用紙Ａに対して１乃至４回の加熱定着を行った場合の用紙の伸縮率をテーブルにしたものである。この例では、用紙Ａの伸縮率は、１回目の定着で、
（１回印刷後の用紙サイズ／印刷前の用紙サイズ）＝０．９８
となり、用紙Ａは一回目の印刷後元の用紙サイズに対して９８％のサイズに縮小する。さらに、２回目の定着で、
（２回目印刷後の用紙サイズ／印刷前の用紙サイズ）＝０．９７
となり、用紙Ａは元の用紙サイズに対して９７％のサイズに縮小する。さらに、３回目の定着で９６％のサイズに縮小する。なお、ここで用紙Ａは加熱した際用紙サイズに関係なく伸縮率が一定な材質であることを想定している。
【００３３】
図４（Ｂ）は、用紙サイズ毎に伸縮率が変化する用紙Ｂを想定した伸縮率テーブルである。このテーブルには、各用紙サイズに対して各定着回数の伸縮率が設定されている。また、図４（ｃ）は用紙の横方向、縦方向で伸縮率が異なる用紙Ｃを想定した伸縮率テーブルである。このテーブルには、各定着回数毎に横方向および縦方向に関する独立した伸縮率が設定されている。横方向、縦方向についての用紙の伸縮率は、式（印刷後の用紙の幅／印刷前の用紙の幅）、および式（印刷後の用紙の高さ／印刷前の用紙の高さ）で求めることができる。このような伸縮率テーブル１７３は、印刷機２による印刷実行の前に試し刷りを行って求められた用紙の伸縮率を設定しておく。
【００３４】
ページデータＰＤに対するラスタライズ処理を行って印刷データＰＲＤを出力する際に、このような伸縮率テーブル１７３を参照して用紙の伸縮率の逆数を変倍率として設定すれば、加熱定着による用紙の伸縮の影響を補償した印刷像を得ることができる。その説明を図５を参照にして行う。
【００３５】
図５は、加熱定着前後の用紙およびその用紙に記録される印刷像のサイズを示している。この例では、用紙の伸縮率が０．９５、つまり加熱定着が行われることにより元の用紙サイズに対して９５％のサイズに用紙が縮小してしまう場合を例示している。
【００３６】
用紙のサイズを１００×１００、用紙上に形成される印刷像のオリジナルサイズ、すなわちページデータＰＤで表現されているサイズを５０×５０とすると、図５（ａ）に示すように、オリジナルのサイズのままで変倍処理を加えることなく印刷を行った場合、用紙に５０×５０の印刷像を形成したとしても、その用紙サイズは加熱定着により９５％のサイズ（９５×９５）に縮小されてしまう。これに伴い、加熱定着後の印刷像のサイズもまた９５％縮小され４７．５×４７．５となってしまう。
【００３７】
このような加熱定着による印刷像の縮小を防ぐために、ＲＩＰ部１７１は、用紙の伸縮率の逆数を変倍率としてページデータＰＤをラスタライズ処理し、変倍された印刷データＰＲＤを出力する。図５（ｂ）は、用紙の伸縮率が考慮された場合の加熱定着処理前後の印刷像を示している。ここで、１００×１００の用紙に対して形成される印刷像はオリジナルサイズの５０×５０ではなく、用紙の伸縮が考慮された変倍率、すなわち用紙の伸縮率０．９５の逆数でもってラスタライズ処理を行い変倍処理された印刷データＰＲＤに基づいて印刷像が形成される。この印刷像のサイズは５２．６３×５２．６３である。この後加熱定着によって用紙が縮小するとこの印刷像も９５％縮小するが、この印刷像は用紙の伸縮率に対応した変倍処理が施されているのでオリジナルサイズ通りの５０×５０のサイズの印刷像を得ることができる。
【００３８】
図６は、印刷データＰＲＤに基づいた印刷像形成の順序（段階）毎の加熱定着回数、伸縮率および変倍率の関係を示すための図である。
【００３９】
図３で説明したように、例えば用紙に対して両面印刷を行う場合、用紙は２回の加熱定着を受けることになるので２段階伸縮する。この際、第１段階で用紙に形成される印刷像がもっとも用紙の伸縮の影響を受けることになる。なぜならば、最終的に得られる印刷像のサイズをオリジナルのサイズに一致させるためには、第１段階で形成される印刷像の変倍率はそれ自身の印刷像を定着するときに１回、次の段階で形成された印刷像を定着するときに１回の合計２回の加熱定着を受けるためである。従って、第１段階（表面）に形成される印刷像は２回の加熱定着による用紙の伸縮を考慮し、第２段階（裏面）に形成される印刷像は、１回の加熱定着による用紙の伸縮の影響を考慮しなければならない。
【００４０】
同様に、同一の用紙に対して、印刷像形成と加熱定着を４回順次繰り返して４つのページデータＰＤの印刷像を得る場合、図６（ａ）に示すように、最初（第１段階）の印刷像ＰＩ1を用紙に形成する場合加熱定着による影響は４回受ける。二番目（第２段階）の印刷像ＰＩ2形成の場合は３回、三番目（第３段階）の印刷像ＰＩ3は２回、四番目（第４段階）の印刷像ＰＩ4の定着回数は１回ということになる。なお、ドキュメントデータＤＤに含まれる各ページデータＰＤに基づいて形成される印刷像は、１乃至４回の加熱定着処理を受けるので、ページデータＰＤはそれぞれ定着回数毎に４つのグループに分類することができる。
【００４１】
図６（ｂ）は、各段階で形成される印刷像が適用を受ける加熱定着回数と、加熱定着回数により定まる用紙の伸縮率と、ページデータＰＤに適用される変倍率との関係を表にしたものである。最初（第１段階）に形成される印刷像ＰＩ1は、４回の加熱定着工程を経る。このため４回の定着回数に対応する伸縮率ＣＳ４が、変倍率決定のために用いられる。ここで、印刷像ＰＩ１の変倍率Ｖ1は、伸縮率ＣＳ４の逆数である１／ＣＳ４となる。
【００４２】
同様に、１回、２回および３回の定着回数の伸縮率をＣＳ１、ＣＳ２およびＣＳ３とすると、二番目（第２段階）、三番目（第３段階）および四番目（第４段階）に形成される印刷像ＰＩ２、ＰＩ３およびＰＩ４のそれぞれの変倍率Ｖ２、Ｖ３、Ｖ４は、それぞれの用紙の伸縮率の逆数であり、従って次式のように決定される。
変倍率Ｖ２＝１／ＣＳ３
変倍率Ｖ３＝１／ＣＳ２
変倍率Ｖ４＝１／ＣＳ１
【００４３】
各段階において、このような変倍率で処理された印刷データＰＲＤに基づいて印刷機２を用いて印刷すれば、加熱定着により用紙が伸縮したとしても、最終的にオリジナルのページデータＰＤが表現していたサイズの印刷像を得ることができる。また、各段階で形成された印刷像のサイズの相対的な関係も、オリジナルのページデータＰＤが表現していた関係と実質的に一致する。
【００４４】
また、少なくとも、同一の用紙に印刷される複数の印刷像のサイズの相対的な関係が用紙の伸縮の影響を受けないようにするには、各変倍率は次式の関係を満足すればよい。
Ｖ１：Ｖ２：Ｖ３：Ｖ４＝１／ＣＳ４：１／ＣＳ３：１／ＣＳ２：１／ＣＳ１
この関係は、
Ｖ１：１／ＣＳ４＝Ｖ２：１／ＣＳ３＝Ｖ３：１／ＣＳ２＝Ｖ４：１／ＣＳ１
と表現することもできる。すなわち、変倍率と伸縮率の比は全ての段階において実質的に等しい。従って、各段階の変倍率は、上記関係を満足するように設定すればよい。
【００４５】
この関係を満足する各段階の変倍率は、例えば、
変倍率Ｖ１＝１
変倍率Ｖ２＝ＣＳ４／ＣＳ３
変倍率Ｖ３＝ＣＳ４／ＣＳ２
変倍率Ｖ４＝ＣＳ４／ＣＳ１
である。
【００４６】
この場合、オリジナルのページデータＰＤが表現するサイズと同じサイズの印刷像を形成することはできないが、各段階の印刷像のサイズの相対的な関係を実質的に一致させることができるので、多色印刷の場合等の重ね刷りにおける版ずれの発生を防止することができる。
【００４７】
「両面印刷機による本発明適用例」
図７は、印刷機２で印刷処理を行う場合のコントローラ１の動作を説明するためのフローチャートである。ステップＳ１で、コントローラ１は、フロントエンド４からネットワーク３を経て複数のページデータＰＤから構成されるドキュメントデータＤＤを受信する。このページデータＰＤは、ページ記述言語で記述されたデータであり、例えばＰｏｓｔＳｃｒｉｐｔ（米アドビシステムズ社の登録商標）の仕様に基づいて記述される。
【００４８】
ステップＳ２では、オペレータが印刷に使用する用紙の種類・サイズを選択する。オペレータは、コントローラ１の入力部１３を操作することにより、印刷に使用する用紙を選択することができる。また、ドキュメントデータＤＤに、用紙の種類・サイズの情報が含まれていれば、その情報に基づいて自動選択するように構成してもよい。
【００４９】
ステップＳ３において、オペレータは同一の用紙に形成される印刷像の数として印刷像形成数Ｐを設定する。図3に示した印刷機２は用紙に対して表面、裏面のモノクロ印刷を行うことができるので、印刷像形成数Ｐは表面と裏面を合わせた「２」となる。
【００５０】
ステップＳ４では、影響を受ける定着回数毎にページデータＰＤを分類する。定着回数ｎは「１」から印刷像形成数Ｐの間の整数を取り得る。ページデータＰＤの総数を２ｍ、印刷像形成数Ｐを「２」とした場合、ＣＰＵ１１がページデータ分類部１７２の機能を実行することにより、用紙表面に印刷される1、3、５、７、……２ｍ−１ページを記述しているページデータＰＤ（１）、ＰＤ（3）、ＰＤ（５）、ＰＤ（７）、……ＰＤ（２ｍ−１）は奇数ページデータ群ＰＤＧｏとして一時的に記憶部１６に記憶される。一方偶数ページを記述したページデータＰＤ（２）、ＰＤ（４）、ＰＤ（６）、……ＰＤ（２ｍ）は偶数ページデータ群ＰＤＧｅとしてやはり一時的に記憶部１６に記憶する。
【００５１】
ステップＳ５はステップＳ４で分類された奇数ページデータ群ＰＤＧｏ、偶数ページデータ群ＰＤＧｅに対してそれぞれ変倍率Ｖ1、Ｖ2を決定するステップである。ＣＰＵ１１は、ステップＳ２で選択された用紙の伸縮率テーブル１７３を参照することにより、奇数ページデータ群ＰＤＧｏに適用される変倍率を求める。奇数ページデータ群ＰＤＧｏの変倍率Ｖ１は、加熱定着回数が「２」に対応する用紙の伸縮率を伸縮率テーブル１７３から読み出し、その逆数を求めることによって決定できる。また、偶数ページデータ群ＰＤＧｅの変倍率Ｖ２については、定着回数ｎが「１」の伸縮率ＣＳ１を伸縮率テーブル１７３から読み出し、その逆数を求めることによって決定できる。
【００５２】
さらに、このステップでは、決定された変倍率Ｖ1、Ｖ2に基づいて変倍処理コマンドが準備される。変倍処理コマンドは、ページデータＰＤを記述している規則と同じ規則で記述される。この変倍コマンドは、例えば、ＰｏｓｔＳｃｒｉｐｔの場合であれば、奇数ページデータ群ＰＤＧｏに対して、
Ｖ1  ｄｕｐ  ｓｃａｌｅ  ％
となる。なお同様に、偶数ページデータ群ＰＤＧｅに対する変倍コマンドは、
Ｖ２  ｄｕｐ  ｓｃａｌｅ  ％
となる。
【００５３】
また、横方向、縦方向で用紙の伸縮率ＣＳが異なる場合、
Ｖx1  Ｖy1  ｓｃａｌｅ  ％
と記述することができる。ここでＶｘ１、Ｖy1は、それぞれ横方向、縦方向の伸縮率である。
【００５４】
続くステップＳ６で、奇数ページデータ群ＰＤＧｏに対してＲＩＰ部１７１がラスタライズ処理を行う。ＣＰＵ１１は、まずステップＳ５で準備された奇数ページデータ群ＰＤＧｏの変倍処理コマンドをＲＩＰ部１７１に出力し、続いて奇数ページデータ群ＰＤＧｏのページデータＰＤを出力する。ＲＩＰ部１７１は、変倍処理コマンドおよびページデータＰＤを順次解釈し、ラスタライズ処理して奇数印刷データ群ＰＲＤＧｏを出力する。この際、ＲＩＰ処理部１７１は、変倍処理コマンドで記述された変倍率、すなわち用紙の伸縮率の逆数で変倍処理、ラスタライズ処理を行うので、用紙の伸縮率を補償した奇数印刷データ群ＰＲＤＧｏを得ることができる。出力された奇数印刷データ群ＰＲＤＧｏは、一時的に記憶部１６に記憶する。あるいは、通信線ＣＬを介して印刷機２に奇数印刷データ群ＰＲＤＧｏを転送してもよい。
【００５５】
同様に、ステップＳ７では偶数ページデータ群ＰＤＧｅに対してＲＩＰ部１７１がラスタライズ処理を行う。ＣＰＵ１１は、ステップＳ５で準備された偶数ページデータ群ＰＤＧｅの変倍処理コマンドをＲＩＰ部１７１に出力し、続いて偶数ページデータ群ＰＤＧｅのページデータＰＤを出力する。ＲＩＰ部１７１は、変倍処理コマンドおよびページデータＰＤを順次解釈し、ラスタライズ処理して偶数印刷データ群ＰＲＤＧｅを出力する。この際、ＲＩＰ処理部１７１は、変倍処理コマンドで記述された変倍率、すなわち用紙の伸縮率の逆数で変倍処理、ラスタライズ処理を行うので、用紙の伸縮率を補償した偶数印刷データ群ＰＲＤＧｅを得ることができる。出力された偶数印刷データ群ＰＲＤＧｅは、一時的に記憶部１６に記憶する。あるいは、通信線ＣＬを介して印刷機２に偶数印刷データ群ＰＲＤＧｅを転送してもよい。なお、ステップＳ６、Ｓ７については、どちらを先に実行しても良いのは無論のことである。
【００５６】
ステップＳ８において、コントローラ１はステップＳ６、Ｓ７で出力された奇数印刷データ群ＰＲＤＧｏ、偶数印刷データ群ＰＲＤＧｅをそれぞれ印刷機２に転送する。印刷機２は、表面印刷用のプロセス部２１で、奇数ページデータ群ＰＲＤＧｏに含まれる各印刷データＰＲＤに基づく印刷像を用紙の表面に順次形成し、一方、裏面印刷用のプロセス部２２で、偶数ページデータ群ＰＲＤＧｏに含まれる各印刷データＰＲＤに基づく印刷像を用紙の裏面に順次形成する。
【００５７】
このように、表面印刷用のプロセス部２１で形成される印刷像のサイズは、２回の加熱定着による用紙の伸縮を考慮しており、また裏面印刷用のプロセス部２２で形成される印刷像のサイズは、１回の加熱定着による用紙の伸縮を考慮しているので、最終的に得られる印刷像は、用紙の伸縮の影響を受けることなく、ページデータＰＤが表現しているオリジナルのサイズとなる。
【００５８】
また、各段階において、変倍率と用紙の伸縮率の逆数との比が実質的に一致するように変倍率を決定した場合には、それぞれの段階で形成される印刷像の相対的なサイズの関係は、ページデータＰＤが表現している相対的なサイズの関係と等しくなる。従って、本適用例のような両面印刷の場合、各面に形成される印刷像のサイズの関係がアンバランスになることなく、見栄えのよい印刷物を得ることができる。
【００５９】
「多色印刷機による本発明適用例」
続いて、本発明を多色印刷に適用した場合の実施形態について説明する。図８は多色印刷を実施する際に使用されるコントローラ２００の構成を説明するための図である。
【００６０】
図８において、コントローラ２００はＣＰＵ２０１、表示部２０２、入力部２０３、ネットワークＩ／Ｆ２０４、メディアドライブ２０５、記憶部２０６、ＲＡＭ２０７を備えており、さらに通信線ＣＬを介して印刷機４００に接続している。ＣＰＵ２０１、表示部２０２、入力部２０３、ネットワークＩ／Ｆ２０４、メディアドライブ２０５、記憶部２０６、および通信線ＣＬの機能については図２で説明したコントローラ１の機能と同様なので説明を省略する。
【００６１】
ＲＡＭ２０７は、ＣＰＵ２０１が記憶部２０６に記憶されているプログラムを実行するためのワークエリアであり、ＣＰＵ２０１が実行するプログラムによってＲＩＰ部２０７１、変倍率設定部２０７２、伸縮率テーブル２０７３、処理カウンタ２０７４の機能を実現する。
【００６２】
ＲＩＰ部２０７１はフロントエンド４で作成されたページ記述言語で記述されたページデータＰＤを逐次解釈してラスタライズ処理を行うものである。ＲＩＰ部２０７１は変倍に関してページ設定が行われれば、ページデータＰＤに対する変倍処理を実行する。変倍率設定部２０７２は、ラスタライズ処理を行うページデータＰＤそれぞれに対して、伸縮率テーブル２０７３を参照して変倍率の設定を行う。伸縮率テーブル２０７３は、加熱定着回数毎に用紙の伸縮率を格納する。さらに、場合によっては、用紙の種類やサイズ毎に用紙の伸縮率を格納してもよい。変倍率設定部２０７２は、処理されるページデータＰＤにより印刷像が形成された用紙の加熱定着回数に基づいて伸縮率テーブル２０７３を参照し、そのページデータＰＤに適用される変倍率が決定される。なお、変倍率は用紙の伸縮率の逆数である。
【００６３】
ＲＩＰ部２０７１は、各ページデータＰＤ毎に決定された変倍率に基づいてラスタライズ処理を行い、用紙の伸縮率に対応して変倍された印刷データＰＲＤを出力することができる。処理カウンタ２０７４は、ドキュメントデータＤＤに含まれるページデータＰＤを計数するためのカウンタで、ページデータＰＤに対するラスタライズ処理が終了するごとに「1」加算される。ＣＰＵ２０１は、この処理カウンタ２０７４とドキュメントデータＤＤに含まれるページデータＰＤの総数ｍｍとを比較することにより、ドキュメントデータＤＤに含まれる全ページデータＰＤに対するラスタライズ処理の終了を確認することができる。
【００６４】
図９はコントローラ２００に通信線ＣＬで接続された印刷機４００を説明するための図である。印刷機４００は、２色両面印刷を行うためのものであり、図３で示した印刷機２におけるプロセス部２１、２２と同様の機能を有するプロセス部４０１、４０２、４０３、４０４が装備されている。ここで、プロセス部４０１、４０２は色ＣＬ１のトナーで印刷を行い、プロセス部４０３、４０４は色ＣＬ２のトナーで印刷を行う。
【００６５】
この印刷機４００において２色両面印刷は次のように行われる。コントローラ２００から印刷実行を指示する命令とともに各ページの印刷データＰＲＤが印刷機４００に送信される。印刷データＰＲＤは、２色両面印刷を行うための表面印刷データＰＲＤｓａ、表面印刷データＰＲＤｓｂ、裏面印刷データＰＲＤｒａ、裏面印刷データＰＲＤｒｂに分類することができる。
【００６６】
表面印刷データＰＲＤｓａおよび裏面印刷データＰＲＤｒａは色ＣＬ１で印刷像を形成するための印刷データであり、表面印刷データＰＲＤｓｂおよび裏面印刷データＰＲＤｓｂは色ＣＬ２で印刷像を形成するための印刷データである。表面印刷データＰＲＤｓａと裏面印刷データＰＲＤｒａは、それぞれプロセス部４０１、４０２で印刷される。その結果、用紙の表面に表面印刷データＰＲＤｓａ、ＰＲＤｓｂ、裏面印刷データＰＲＤｒａ、ＰＲＤｒｂの印刷が行われ、結果として用紙両面に２色刷りの印刷が行われる。
【００６７】
このような印刷工程を経る場合、用紙は定着部６２、６３に加えさらに６４、６５を通過するので、４回の加熱定着が行われ、それによって用紙が段階的に伸縮する。従って用紙の伸縮率テーブル２０７３を参照して各ページデータＰＤをラスタライズ処理する際のそれぞれ変倍率を求めて印刷データＰＲＤを出力する必要がある。すなわち、プロセス部４０１、４０２、４０３、４０４で形成される印刷像は、それぞれ加熱定着回数が４回、３回、２回、１回の用紙の伸縮率の逆数で変倍処理されている必要がある。
【００６８】
図１０は、このような２色両面印刷を行う際のコントローラ２００の動作フローチャートである。ステップＳ１１において、コントローラ２００は複数のページデータＰＤからなるドキュメントデータＤＤを受信する。この場合、ドキュメントデータＤＤに含まれるページデータＰＤは、用紙の表面に色ＣＬ１、ＣＬ２でそれぞれ印刷するためのページデータＰＤｓａ、ＰＤｓｂ、用紙の裏面に色ＣＬ１、ＣＬ２でそれぞれ印刷するためのページデータＰＤｒａ、ＰＤｓｂを含む。これらのページデータに基づいて同一の用紙に対して４つのページデータＰＤ分の印刷を行う印刷データＰＲＤを出力するものとする。また受信したドキュメントデータＤＤのページデータＰＤの総数がｍｍであることを識別するのもこのステップである。
【００６９】
ステップＳ１２については、図７で説明したステップＳ２と同様に用紙の種類やサイズの選択処理を実行する。ステップ１３において、同一印刷像形成数Ｐを設定する。図９に示される印刷機２００２色両面の印刷を行う場合は、印刷像形成数Ｐは「４」に設定される。また、表面印刷データＰＲＤｓａ、裏面印刷データＰＲＤｒｂ、表面印刷データＰＲＤｓｂ、裏面印刷データＰＲＤｒｂの順になるよう、各ページデータＰＤが並び換えられる。
【００７０】
ステップＳ１４において、印刷される用紙の枚数を計数する処理カウンタＰＲＴＣを初期化し、「１」をセットする。ステップＳ１５において、コントローラ２００は加熱定着の回数による用紙の伸縮率に対応する変倍率でページデータＰＤをそれぞれラスタライズ処理する。
【００７１】
このステップＳ１５の処理について、図１１で詳細に説明する。ステップＳ５１は、同一の用紙に印刷されるページデータＰＤの処理数を計数する変数ｉを「１」に初期化する。ステップＳ５２は変数ｉの値と印刷像形成数Ｐとを比較し、それによって、現在の対象となる共通の用紙に印刷される全てのページデータＰＤが処理されたかどうかを判断する。変数ｉの値が印刷像形成数Ｐ以上であれば、共通の用紙に印刷される全てのページデータＰＤのラスタライズ処理が終了したと判断して、このルーチンは終了する。一方、変数ｉの値が印刷像形成数Ｐより小さければ、全てのページデータＰＤの処理が終了していないと判断し、ステップＳ５３に進む。
【００７２】
ステップＳ５３は、ラスタライズ処理しようとする現在のページデータＰＤに基づく印刷像が形成される用紙の加熱定着回数ｎを求めるステップである。図１１に示した印刷機４００では１枚の用紙に４つのページデータＰＤの印刷像を段階的に形成して加熱定着する。第１、第２、第３および第４段階で形成される印刷像は、それぞれ４回、３回、２回および１回の加熱定着を受ける。これを一般的に表すと、第ｉ段階で形成される印刷像が影響を受ける加熱定着回数ｎは、次の式、
ｎ←Ｐ−ｉ＋１
で表すことができる。
【００７３】
続いてステップＳ５４で、ステップＳ５３で求められた加熱定着回数ｎに対応する用紙の伸縮率ＣＳをＣＰＵ２０１が伸縮率テーブル２０７３から取得する。ステップＳ５５において、ＣＰＵ２０１はステップＳ５４で取得された伸縮率ＣＳの逆数を変倍率Ｖとして、ページデータＰＤをＲＩＰ部２０７１でラスタライズ処理する。
【００７４】
続いてステップＳ５６で、変数ｉは「１」加算され、ステップＳ５２に戻る。なお、ステップＳ５２乃至Ｓ５６は、同一の用紙に形成される全てのページデータＰＤの処理が終了するまで繰り返される。図９で示した２色両面印刷の場合は、このステップＳ５２乃至Ｓ５６からなるループは４回行われる。
【００７５】
図１０のフローチャートに戻り、ステップＳ１６で処理カウンタＰＲＴＣを「1」加算する。そして、ステップＳ１７において処理カウンタＰＲＴＣとページデータＰＤの総数ｍｍと比較する。ここて、不等式｛（処理カウンタＰＲＴＣ）＜（ページデータ総数ｍｍ）｝を満足するならば、次の用紙に対して印刷像を形成するために、ステップＳ１５のプロセスに戻ってラスタライズ処理を繰り返して行う。処理カウンタＰＲＴＣがページ総数ｍｍ以上となった場合、ステップＳ１８へ移行する。
【００７６】
ステップＳ１８では、ステップＳ１５で行われたラスタライズ処理により出力された印刷データＰＲＤに基づく印刷を印刷機４００で行う。
【００７７】
このようにして得られた印刷物は、加熱定着により用紙が伸縮しても、ページデータＰＤが表現していたサイズと実質的に同じサイズの印刷像が形成される。また、各面に形成されている２色の印刷像のサイズもオリジナルサイズと実質的に同じなので、色ズレが発生しない。また、用紙の伸縮を補償するための変倍処理は、ページデータをラスタライズ処理する際に行われるので、変倍処理による画質の劣化は発生しない。
【００７８】
なお、この多色印刷機による本発明の適用例では、ステップＳ５５において、各ページデータＰＤに適用される変倍率として、そのページデータＰＤに対応する印刷像が形成された後に処理される加熱定着回数の用紙の伸縮率の逆数を用いたが、前述した両面印刷機による本発明適用例で説明した一例のように、各段階において、用紙の伸縮率と変倍率の比が実質的に一致するように、各段階の変倍率を決定してもよい。この場合、オリジナルのページデータＰＤが表現するサイズと同じサイズの印刷像を形成することはできないが、各段階の印刷像の相対的なサイズの関係をオリジナルのページデータの相対的内済図の関係と一致させることができるので、多色または重ね刷り印刷等の場合における版ズレの発生を防止することができる。
【００７９】
[変形例]
上記実施の形態では、電子写真プロセスを用いた印刷機における加熱定着を例に挙げて説明したが、インクジェット方式等で印刷像が形成された後に、用紙を加熱処理して定着もしくは光沢化するような技術についても適用することができる。
【００８０】
なお、図３で説明した印刷装置において、例えば印刷すべきページの総数が奇数、例えば印刷ページ総数が３ページの場合、最後の３ページ目を印刷する用紙は一度しか定着をする必要がない。そのような制御をして印刷機に出力する場合でも２回定着が行われるものと見なされてしまい、３ページ目に印刷が行われる印刷データＰＲＤを出力するための変倍率が実情に適わないことになる。これを防ぐために、印刷ページ総数が奇数ページであれば、最後のページの定着回数ｎは１であると決定するようにしてもよい。こうすれば、より正確なサイズの印刷像を得ることができる。
【００８１】
同じく図１１で説明した印刷装置であっても、例えば２色で印刷すべきページの総数が奇数、例えば印刷ページ総数が３ページの場合、最後の３ページ目を印刷する用紙は二度しか定着をする必要がない。そのような制御をして印刷機に出力する場合でも４回定着が行われるものと見なされてしまい、３ページ目に印刷が行われる印刷データＰＲＤを出力するための変倍率が実情に適わないことになる。これを防ぐために、印刷ページ総数が奇数ページであれば、最後のページの定着回数ｎは印刷像形成数Ｐと一致するようにしてもよい。こうすれば、より正確なサイズの印刷像を得ることができる。
【００８２】
また、伸縮率テーブル１７３および２０７３の設定について、印刷機２および４００の用紙搬送路に用紙サイズ測定手段を付属して印刷を行う度に用紙のサイズを測定し、測定の結果を伸縮率テーブル１７３および２０７３に反映させるようにしてもよい。こうすれば、より正確な伸縮率を求めることができ、ひいてはより正確なサイズの印刷像を得ることができる。
【図面の簡単な説明】
【図１】印刷システムの構成を示すための図である。
【図２】印刷システムのコントローラの構成を機能の面から示すためのブロック図である。
【図３】両面印刷機の構成を示すための図である。
【図４】伸縮率テーブルの構成を示すための図である。
【図５】用紙の伸縮率の逆数を変倍率と設定すれば用紙の伸縮の影響を免れた印刷像を得ることができることを示すための図である。
【図６】印刷像を用紙上に形成する場合の用紙の伸縮率と定着回数、そして印刷データＰＲＤに基づいた印刷像形成の順序と変倍率の関係を示すための図である。
【図７】両面印刷機におけるコントローラ１の動作を説明するためのフローチャートである。
【図８】印刷システムのコントローラの構成を機能の面から示すブロック図である。
【図９】多色印刷機の構成を示すための図である。
【図１０】多色印刷機におけるコントローラ２００の動作を説明するためのフローチャートである。
【図１１】コントローラ２００におけるラスタライズ処理を詳細に説明するためのフローチャートである。
【図１２】一般的な電子写真方式を説明するための図である。
【符号の説明】
１、２００  コントローラ
２、４００  印刷機
１１、２０１  ＣＰＵ
１３、２０３  入力部
１４、２０４  ネットワークＩ／Ｆ
１６、２０６  記憶部
１７１、２０７１  ＲＩＰ部
１７２  ページ分類部
１７３、２０７３  伸縮率テーブル
２０７２  変倍率設定部
２０７４  処理カウンタ
ＤＤ  ドキュメントデータ
ＰＤ  ページデータ
ＰＤｏ  奇数ページデータ群
ＰＤｅ  偶数ページデータ群
ＰＤｓａ  表面ページデータ
ＰＤｓｂ  裏面ページデータ
ＰＤｓａ  表面ページデータ
ＰＤｓｂ  表面ページデータ
ＰＤｒａ  裏面ページデータ
ＰＤｒｂ  裏面ページデータ
ＰＲＤＧｏ  奇数ページ印刷データ群
ＰＲＤＧｅ  偶数ページ印刷データ群
ＰＲＤｓ  表面印刷データ
ＰＲＤｒ  裏面印刷データ
ＰＲＤｓａ  表面印刷データ
ＰＲＤｓｂ  表面印刷データ
ＰＲＤｒａ  裏面印刷データ
ＰＲＤｒｂ  裏面印刷データ
【図１】
0004054160.tif 000002
【図２】
0004054160.tif 000003
【図３】
0004054160.tif 000004
【図４】
0004054160.tif 000005
【図５】
0004054160.tif 000006
【図６】
0004054160.tif 000007
【図７】
0004054160.tif 000008
【図８】
0004054160.tif 000009
【図９】
0004054160.tif 000010
【図１０】
0004054160.tif 000011
【図１１】
0004054160.tif 000012
【図１２】
0004054160.tif 000013